(57)【要約】【課題】大型の固体撮像素子に対応可能な光学性能を備えながら、コンパクトな５枚構成の撮像レンズ及び撮像装置を提供する。【解決手段】最も物体側のレンズを負レンズとしたレンズ５枚構成とすることで、コンパクトな撮像レンズを実現している。更に、条件式（１）と条件式（２）を満足することで、ＡＰＳフォーマットなど大型の固体撮像素子に好適な光学性能を得ることができる。  ０．１５  ＜  Ｔ２４／Ｔ１５  ＜  ０．５５・・・（１）  ０．０３  ＜  Ｔ１／２Ｙ  ＜  ０．０９・・・（２）但し、Ｔ２４：第２レンズから第４レンズまでの空気間隔を含む軸上の長さＴ１５：第１レンズから第５レンズまでの空気間隔を含む軸上の長さＴ１：第１レンズの軸上厚２Ｙ：固体撮像素子の撮像面対角長【選択図】図３
2010078801.tif 000002
【特許請求の範囲】
【請求項１】
固体撮像素子の撮像面に被写体像を結像させるために用いられ、物体側より順に、負の第１レンズと、正の第２レンズと、絞りと、負の第３レンズと、正の第４レンズと、正の第５レンズとからなり、かつ以下の条件を満足することを特徴とする撮像レンズ。
０．１５  ＜  Ｔ２４／Ｔ１５  ＜  ０．５５・・・（１）
０．０３  ＜  Ｔ１／２Ｙ  ＜  ０．０９・・・（２）
但し、
Ｔ２４：前記第２レンズから前記第４レンズまでの空気間隔を含む軸上の長さ
Ｔ１５：前記第１レンズから前記第５レンズまでの空気間隔を含む軸上の長さ
Ｔ１：前記第１レンズの軸上厚
２Ｙ：前記固体撮像素子の撮像面対角長
【請求項２】
上記第２レンズに少なくとも１面の非球面を配置することを特徴とする請求項１に記載の撮像レンズ。
【請求項３】
上記第４レンズに少なくとも１面の非球面を配置することを特徴とする請求項１又は２に記載の撮像レンズ。
【請求項４】
上記第３レンズと第４レンズとが接合されていることを特徴とする請求項１〜３のいずれかに記載の撮像レンズ。
【請求項５】
以下の条件式を満足することを特徴とする請求項１〜４のいずれかに記載の撮像レンズ。
０．４  ＜  ｆ２／ｆ  ＜  １．０・・・（３）
但し、
ｆ２：前記第２レンズの焦点距離
ｆ：前記撮像レンズ全系の焦点距離
【請求項６】
請求項１〜５のいずれかに記載の撮像レンズを有することを特徴とする撮像装置。
【発明の詳細な説明】
【技術分野】
【０００１】
本発明は、CCD(Charge Coupled Devices)型イメージセンサやCMOS(Complementary Metal-Oxide Semiconductor)型イメージセンサ等の固体撮像素子を用いた撮像装置に好適な撮像レンズ及び撮像装置に関する。
【背景技術】
【０００２】
近年、ＣＣＤ型イメージセンサやＣＭＯＳ型イメージセンサ等の固体撮像素子を用いた撮像装置が搭載されたビデオカメラ、デジタルカメラの普及が進み、より高画質の画像が得られるよう高画素数を有する固体撮像素子を使用した撮像装置を搭載したものが市揚に供給されるようになってきた。ところで、高画素化に合わせて固体撮像素子を大型化することは半導体プロセス上コスト高を招くため、従来は、画素の高細化を進めることで、小型でありながらも画素数を増大させた固体撮像素子が一般的に用いられていた。このような高細化された固体撮像素子に対応した撮像レンズは、特許文献１および２により提案されている。
【特許文献１】特開２００４−２４５８９３号公報
【特許文献２】特開２００２−２２８９２５号公報
【発明の開示】
【発明が解決しようとする課題】
【０００３】
ところで、コストよりも画質を優先する傾向が強い、例えばレンズ交換式デジタル一眼レフカメラ等の比較的大型の撮像装置では、３５ｍｍフォーマット（３６ｍｍ×２４ｍｍ）、ＡＰＳフォーマット（約２４ｍｍ×１６ｍｍ）、フォーサーズフォーマット（約１８ｍｍ×１３．５ｍｍ）などのような大型の固体撮像素子を用いることが多い。このような大型の個体撮像素子は、同じ画素数である、より小型の固体撮像素子と比較した場合、１画素あたりの受光面積が増大し、更に感度やS/N比の面で有利とされるからである。これに対し、ビデオカメラやデジタルカメラに搭載する小型の撮像装置において、上述のごとき大型の固体撮像素子を用いようとする試みがある。ところが、このような大型の固体撮像素子の撮像面に被写体像を結像するレンズには、周辺減光を抑えるべくテレセントリック性などの光学性能が要求されるため、小型の固体撮像素子に好適な特許文献１，２に示すようなレンズでは、十分な光学性能が得られないという問題がある。一方で、ビデオカメラやデジタルカメラのコンパクト性を確保するためには、デジタル一眼レフカメラ用の交換レンズなどに比べて、レンズ枚数や全長を極力抑える必要がある。
【０００４】
本発明は、このような問題点に鑑みてなされたものであり、大型の固体撮像素子に対応可能な光学性能を備えながら、コンパクトな５枚構成の撮像レンズ及び撮像装置を提供することを目的とする。
【課題を解決するための手段】
【０００５】
請求項１に記載の撮像レンズは、固体撮像素子の撮像面に被写体像を結像させるために用いられ、物体側より順に、負の第１レンズと、正の第２レンズと、絞りと、負の第３レンズと、正の第４レンズと、正の第５レンズとからなり、かつ以下の条件を満足することを特徴とする。
０．１５  ＜  Ｔ２４／Ｔ１５  ＜  ０．５５・・・（１）
０．０３  ＜  Ｔ１／２Ｙ  ＜  ０．０９・・・（２）
但し、
Ｔ２４：前記第２レンズから前記第４レンズまでの空気間隔を含む軸上の長さ
Ｔ１５：前記第１レンズから前記第５レンズまでの空気間隔を含む軸上の長さ
Ｔ１：前記第１レンズの軸上厚
２Ｙ：前記固体撮像素子の撮像面対角長
【０００６】
本発明によれば、最も物体側のレンズを負レンズとしたレンズ５枚構成とすることで、コンパクトな撮像レンズを実現している。更に、条件式（１）と条件式（２）を満足することで、大型の固体撮像素子に好適な光学性能を得ることができる。より具体的に説明すると、条件式（１）は、絞り前後の第２レンズ、第３レンズ、第４レンズの３枚のレンズを適切に配置することにより、球面収差と、軸外収差（非点収差、倍率色収差など）を適切に補正するための条件式である。即ち、条件式（１）の値が下限を上回ることで、絞り付近での過剰な軸外収差の補正を抑制し、球面収差の発生を抑えることができる。一方、条件式（１）の値が上限を下回ることで、第２レンズ、第３レンズ、第４レンズの３枚のレンズを絞り付近に配置することができ、画面中心から周辺まで全域に渡った収差補正が可能となる。尚、より望ましくは下式の範囲を満たすとよい。
０．２２  ＜  Ｔ２４／Ｔ１５  ＜  ０．４８・・・（１Ａ）
【０００７】
条件式（２）は、第１レンズの軸上厚を適切に設定し撮像レンズ全長の短縮化と収差補正を適切に達成するための条件式である。条件式（２）の値が下限を上回ることで、倍率色収差、非点収差などの発生を抑えることができる。一方、条件式（２）の値が上限を下回ることでレンズ全長の短縮化を達成することができる。尚、より望ましくは下式の範囲を満たすとよい。
０．０４  ＜  Ｔ１／２Ｙ  ＜  ０．０８・・・（２Ａ）
【０００８】
請求項２に記載の撮像レンズは、請求項１に記載の発明において、上記第２レンズに少なくとも１面の非球面を配置することを特徴とする。上記第２レンズに少なくとも１面の非球面を配置することにより、より良好な収差補正を達成できる。
【０００９】
請求項３に記載の撮像レンズは、請求項１又は２に記載の発明において、上記第４レンズに少なくとも１面の非球面を配置することを特徴とする。上記第４レンズに少なくとも１面の非球面を配置することにより、より良好な収差補正を達成できる。
【００１０】
請求項４に記載の撮像レンズは、請求項１〜３のいずれかに記載の発明において、上記第３レンズと第４レンズとが接合されていることを特徴とする。上記第３レンズと第４レンズとを接合することにより、全長の短縮化と、特に軸上色収差、倍率色収差の良好な補正を達成できる。
【００１１】
請求項５に記載の撮像レンズは、請求項１〜４のいずれかに記載の発明において、以下の条件式を満足することを特徴とする。
０．４  ＜  ｆ２／ｆ  ＜  １．０・・・（３）
但し、
ｆ２：前記第２レンズの焦点距離
ｆ：前記撮像レンズ全系の焦点距離
【００１２】
条件式（３）は、第２レンズの焦点距離を適切に設定し撮像レンズ全長の短縮化と収差補正を適切に達成するための条件式である。条件式（３）の値が下限を上回ることで、第２レンズの焦点距離を適度に維持することができ、レンズ全長の短縮化を達成することができる。一方、条件式（３）の値が上限を下回ることで、第２レンズの焦点距離が大きくなりすぎず、高次の球面収差やコマ収差の発生を抑えることができる。尚、より望ましくは下式の範囲を満たすのがよい。
０．５４  ＜  ｆ２／ｆ  ＜  ０．９・・・（３Ａ）
【００１３】
請求項６に記載の撮像装置は、請求項１〜５のいずれかに記載の撮像レンズを有することを特徴とする。
【発明の効果】
【００１４】
本発明によれば、大型の固体撮像素子に対応可能な光学性能を備えながら、コンパクトな５枚構成の撮像レンズ及び撮像装置を提供することができる。
【発明を実施するための最良の形態】
【００１５】
以下、本発明の実施の形態を図面に基づいて説明する。図１は、本実施の形態にかかる撮像装置を搭載したデジタルカメラの正面上部側から見た斜視図（ａ）及び背面下部側から見た斜視図（ｂ）であり、図２は、本実施の形態にかかる撮像レンズを有する撮像装置のブロック図である。
【００１６】
図１（ａ）において、デジタルカメラＤＣは、撮像レンズ１０１を内蔵しカメラボディ８１に対して沈胴する沈胴式のレンズ鏡胴８０と、ファインダ窓８２と、レリーズ釦８３と、フラッシュ発光部８４と、ストラップ取り付け部８７と、ＵＳＢ端子８８と、レンズカバー８９とを有している。レンズカバー８９を開くと、不図示のスイッチがオン操作され、レンズ鏡胴８０が前方に繰り出して撮影状態になり、一方、撮影終了後に、レンズカバー８９を閉じると、不図示のスイッチがオフ操作されレンズ鏡胴８０は沈胴するようになっている。尚、レンズ鏡胴８０を沈胴させる構成については、良く知られているので以下の詳細は記載しない。
【００１７】
更に、図１（ｂ）において、デジタルカメラＤＣは、ファインダ接眼部９１と、レリーズ釦８３が押圧された時にＡＦやＡＥの情報を発光もしくは点滅により撮影者に表示する赤と緑の表示ランプ９２と、撮影者の操作に応じてズームアップ、ズームダウンをおこなうズーム釦９３と、各種設定用のメニュー／セット釦９５と、選択釦である４方向スイッチ９６と、画像やその他文字情報等を表示するモニターＬＣＤ１１２と、モニターＬＣＤ１１２において撮影した画像の再生を行うための再生釦９７と、モニターＬＣＤ１１２に表示された画像やその他文字情報の表示や消去を選択するディスプレイ釦９８と、撮影記録した画像の消去をおこなう消去釦９９と、三脚穴７１と、開閉自在な電池／カード蓋７２とを有する。撮影者は、メニュー／セット釦９５で、モニターＬＣＤ１１２上に各種のメニューを表示させ、選択釦９６で選択し、メニュー／セット釦９５で設定を確定することができる。電池／カード蓋７２の内部には、デジタルカメラＤＣの電源を供給する電池と、撮影した画像を記録するカード型のリムーバブルメモリが装填されるようになっている。
【００１８】
更に、デジタルカメラＤＣに搭載される撮像装置１００は、図２に示すように、撮像レンズ１０１と、ＡＰＳフォーマットである固体撮像素子１０２と、Ａ／Ｄ変換部１０３と、制御部１０４と、光学系駆動部１０５と、タイミング発生部１０６と、撮像素子駆動部１０７と、画像メモリ１０８と、画像処理部１０９と、画像圧縮部１１０と、画像記録部１１１と、モニターＬＣＤ１１２と、図１を参照して上述した釦群を含む動作部１１３とを備えて構成される。
【００１９】
撮像レンズ１０１は、被写体像を固体撮像素子１０２の撮像面に結像させる機能を有する。本実施の形態の撮像レンズは、物体側より順に、負の第１レンズと、正の第２レンズと、絞りと、負の第３レンズと、正の第４レンズと、正の第５レンズとからなり、かつ以下の条件を満足する。
０．１５  ＜  Ｔ２４／Ｔ１５  ＜  ０．５５・・・（１）
０．０３  ＜  Ｔ１／２Ｙ  ＜  ０．０９・・・（２）
但し、
Ｔ２４：第２レンズから第４レンズまでの空気間隔を含む軸上の長さ
Ｔ１５：第１レンズから第５レンズまでの空気間隔を含む軸上の長さ
Ｔ１：第１レンズの軸上厚
２Ｙ：固体撮像素子の撮像面対角長
【００２０】
又、第２、第４レンズに少なくとも１面の非球面を配置し、第３レンズと第４レンズとが接合されている。加えて、以下の条件式を満足する。
０．４  ＜  ｆ２／ｆ  ＜  １．０・・・（３）
但し、
ｆ２：第２レンズの焦点距離
ｆ：撮像レンズ全系の焦点距離
【００２１】
本実施の形態においては、第１レンズ−第２レンズのレンズ間距離Δ１と、第４レンズ−第５レンズのレンズ間距離Δ２との合計値（Δ１＋Δ２）を比較的大きく確保できるので、沈胴によりレンズ全長を極力短縮できるようになっている。
【００２２】
固体撮像素子１０２は、ＣＣＤやＣＭＯＳ等の撮像素子であり、ＲＧＢカラーフィルターを備え、入射光をＲ、Ｇ、Ｂ毎に光電変換してそのアナログ信号を出力する。Ａ／Ｄ変換部１０３は、アナログ信号をデジタルの画像データに変換する。
【００２３】
制御部１０４は、撮像装置１００の各部を制御する。制御部１０４は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）を含み、ＲＯＭから読み出されてＲＡＭに展開された各種プログラムと、ＣＰＵとの協働で各種処理を実行する。
【００２４】
光学系駆動部１０５は、制御部１０４の制御により、変倍、合焦、露出等において、撮像レンズ１０１を駆動制御する。タイミング発生部１０６は、アナログ信号出力用のタイミング信号を出力する。撮像素子駆動部１０７は、固体撮像素子１０２を走査駆動制御する。
【００２５】
画像メモリ１０８は、画像データを読み出し及び書き込み可能に記憶する。画像処理部１０９は、画像データに各種画像処理を施す。画像圧縮部１１０は、ＪＰＥＧ（Ｊｏｉｎｔ Ｐｈｏｔｏｇｒａｐｈｉｃ Ｅｘｐｅｒｔｓ Ｇｒｏｕｐ）等の圧縮方式により、撮像画像データを圧縮する。画像記録部１１１は、図示しないスロットにセットされた、メモリカード等の記録メディアに画像データを記録する。
【００２６】
モニターＬＣＤ１１２は、カラー液晶パネル等であり、撮影後の画像データ、撮影前のスルー画像、各種操作画面等を表示する。動作部１１３は、図１を参照して上述した釦群を介して、ユーザにより操作入力された情報を制御部１０４に出力する。
【００２７】
ここで、撮像装置１００における動作を説明する。被写体撮影では、被写体のモニタリング（スルー画像表示）と、画像撮影実行とが行われる。モニタリングにおいては、撮像レンズ１０１を介して得られた被写体の像が、固体撮像素子１０２の受光面（撮像面）に結像される。撮像レンズ１０１の撮影光軸後方に配置された固体撮像素子１０２が、タイミング発生部１０６、撮像素子駆動部１０７によって走査駆動され、一定周期毎に結像した光像に対応する光電変換出力としてのアナログ信号を１画面分出力する。
【００２８】
このアナログ信号は、ＲＧＢの各原色成分毎に適宜ゲイン調整された後に、Ａ／Ｄ変換部１０３でデジタルデータに変換される。そのデジタルデータは、画像処理部１０９により、画素補間処理及びγ補正処理を含むカラープロセス処理が行なわれて、デジタル値の輝度信号Ｙ及び色差信号Ｃｂ、Ｃｒ（画像データ）が生成されて画像メモリ１０８に格納され、定期的にその信号が読み出されてそのビデオ信号が生成されて、モニターＬＣＤ１１２に出力される。尚、ホワイトバランス調整手段である制御部１０４は、画像信号における青色の波長成分の信号強度が他の色の信号強度よりも小さくなるようにホワイトバランスを調整する。
【００２９】
このモニターＬＣＤ１１２は、モニタリングにおいては電子ファインダとして機能し、撮像画像をリアルタイムに表示することとなる。この状態で、随時、撮影者のレリーズ釦８３の操作に応じてなされる動作部１１３を介する入力に基づいて、光学系駆動部１０５の駆動により撮像レンズ１０１の変倍、合焦、露出等が設定される。
【００３０】
このようなモニタリング状態において、静止画撮影を行ないたいタイミングで、ユーザがレリーズ釦８３を操作することにより、静止画像データが撮影される。レリーズ釦８３の操作に応じて、画像メモリ１０８に格納された１コマの画像データが読み出されて、画像圧縮部１１０により圧縮される。その圧縮された画像データが、画像記録部１１１によりリムーバブルメモリに記録される。
【００３１】
なお、上記実施の形態及び各実施例における記述は、本発明に係る好適な撮像レンズ及び撮像装置の一例であり、これに限定されるものではない。又、本撮像装置はビデオカメラにも搭載可能である。
【実施例】
【００３２】
次に、上述した実施の形態に好適な実施例について説明する。但し、以下に示す実施例により本発明が限定されるものではない。実施例における各符号の意味は以下の通りである。
ｆ  ：撮像レンズ全系の焦点距離
ｆＢ：バックフォーカス
Ｆ  ：Ｆナンバー
２Ｙ：固体撮像素子の撮像面対角線長
Ｒ  ：曲率半径
Ｄ  ：軸上面間隔
Ｎｄ：レンズ材料のｄ線に対する屈折率
νｄ：レンズ材料のアッベ数
【００３３】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。なお、これ以降（表のレンズデータを含む）において、１０のべき乗数（たとえば２．５×１０-02）を、Ｅ（たとえば２．５Ｅ−０２）を用いて表すものとする。
【００３４】
【数１】
2010078801.tif 000003
ただし、
Ａｉ：ｉ次の非球面係数
Ｒ：曲率半径
Ｋ：円錐定数
【００３５】
（実施例１）
実施例１のレンズデータを表１に示す。図３は、実施例１の撮像レンズの断面図である。図中、Ｌ１は負の第１レンズ、Ｌ２は正の第２レンズ、Ｓは開口絞り、Ｌ３は負の第３レンズ、Ｌ４は正の第４レンズ、Ｌ５は正の第５レンズ、Ｉは撮像面を示す。第３レンズＬ３と第４レンズＬ４とは接合されている。また、Ｆは光学的ローパスフィルタやＩＲカットフィルタ、固体撮像素子のシールガラス等を想定した平行平板である。図４は、実施例１にかかる撮像レンズの球面収差（ａ）、非点収差（ｂ）、及び歪曲収差（ｃ）の収差図である。ここで、球面収差図において、ｇはｇ線、ｄはｄ線に対する球面収差量をそれぞれ表す。また、非点収差図において、実線Ｓはサジタル面、点線Ｍはメリジオナル面をそれぞれ表す。
【００３６】
【表１】
2010078801.tif 000004
【００３７】
（実施例２）
実施例２のレンズデータを表２に示す。図５は、実施例２の撮像レンズの断面図である。図中、Ｌ１は負の第１レンズ、Ｌ２は正の第２レンズ、Ｓは開口絞り、Ｌ３は負の第３レンズ、Ｌ４は正の第４レンズ、Ｌ５は正の第５レンズ、Ｉは撮像面を示す。第３レンズＬ３と第４レンズＬ４とは接合されている。また、Ｆは光学的ローパスフィルタやＩＲカットフィルタ、固体撮像素子のシールガラス等を想定した平行平板である。図６は、実施例２にかかる撮像レンズの球面収差（ａ）、非点収差（ｂ）、及び歪曲収差（ｃ）の収差図である。ここで、球面収差図において、ｇはｇ線、ｄはｄ線に対する球面収差量をそれぞれ表す。また、非点収差図において、実線Ｓはサジタル面、点線Ｍはメリジオナル面をそれぞれ表す。
【００３８】
【表２】
2010078801.tif 000005
【００３９】
（実施例３）
実施例３のレンズデータを表３に示す。図７は、実施例３の撮像レンズの断面図である。図中、Ｌ１は負の第１レンズ、Ｌ２は正の第２レンズ、Ｓは開口絞り、Ｌ３は負の第３レンズ、Ｌ４は正の第４レンズ、Ｌ５は正の第５レンズ、Ｉは撮像面を示す。第３レンズＬ３と第４レンズＬ４とは接合されている。また、Ｆは光学的ローパスフィルタやＩＲカットフィルタ、固体撮像素子のシールガラス等を想定した平行平板である。図８は、実施例３にかかる撮像レンズの球面収差（ａ）、非点収差（ｂ）、及び歪曲収差（ｃ）の収差図である。ここで、球面収差図において、ｇはｇ線、ｄはｄ線に対する球面収差量をそれぞれ表す。また、非点収差図において、実線Ｓはサジタル面、点線Ｍはメリジオナル面をそれぞれ表す。
【００４０】
【表３】
2010078801.tif 000006
【００４１】
（実施例４）
実施例４のレンズデータを表４に示す。図９は、実施例４の撮像レンズの断面図である。図中、Ｌ１は負の第１レンズ、Ｌ２は正の第２レンズ、Ｓは開口絞り、Ｌ３は負の第３レンズ、Ｌ４は正の第４レンズ、Ｌ５は正の第５レンズ、Ｉは撮像面を示す。第３レンズＬ３と第４レンズＬ４とは接合されている。また、Ｆは光学的ローパスフィルタやＩＲカットフィルタ、固体撮像素子のシールガラス等を想定した平行平板である。図１０は、実施例４にかかる撮像レンズの球面収差（ａ）、非点収差（ｂ）、及び歪曲収差（ｃ）の収差図である。ここで、球面収差図において、ｇはｇ線、ｄはｄ線に対する球面収差量をそれぞれ表す。また、非点収差図において、実線Ｓはサジタル面、点線Ｍはメリジオナル面をそれぞれ表す。
【００４２】
【表４】
2010078801.tif 000007
【００４３】
各実施例に対応した条件式（１）〜（３）の値を以下にまとめて示す。
【００４４】
【表５】
2010078801.tif 000008
【図面の簡単な説明】
【００４５】
【図１】本実施の形態にかかる撮像装置を搭載したデジタルカメラの正面上部側から見た斜視図（ａ）及び背面下部側から見た斜視図（ｂ）である。
【図２】本実施の形態にかかる撮像レンズを有する撮像装置のブロック図である。
【図３】実施例１の撮像レンズの断面図である。
【図４】実施例１にかかる撮像レンズの球面収差（ａ）、非点収差（ｂ）、及び歪曲収差（ｃ）の収差図である。
【図５】実施例２の撮像レンズの断面図である。
【図６】実施例２にかかる撮像レンズの球面収差（ａ）、非点収差（ｂ）、及び歪曲収差（ｃ）の収差図である。
【図７】実施例３の撮像レンズの断面図である。
【図８】実施例３にかかる撮像レンズの球面収差（ａ）、非点収差（ｂ）、及び歪曲収差（ｃ）の収差図である。
【図９】実施例４の撮像レンズの断面図である。
【図１０】実施例４にかかる撮像レンズの球面収差（ａ）、非点収差（ｂ）、及び歪曲収差（ｃ）の収差図である。
【符号の説明】
【００４６】
７１ 三脚穴
７２ カード蓋
８０ レンズ鏡胴
８１ カメラボディ
８２ ファインダ窓
８３ レリーズ釦
８４ フラッシュ発光部
８７ ストラップ取り付け部
８８ ＵＳＢ端子
８９ レンズカバー
９１ ファインダ接眼部
９２ 表示ランプ
９３ ズーム釦
９５ セット釦
９６ ４方向スイッチ
９６ 選択釦
９７ 再生釦
９８ ディスプレイ釦
９９ 消去釦
１００ 撮像装置
１０１ 撮像レンズ
１０２ 固体撮像素子
１０３ 変換部
１０４ 制御部
１０５ 光学系駆動部
１０６ タイミング発生部
１０７ 撮像素子駆動部
１０８ 画像メモリ
１０９ 画像処理部
１１０ 画像圧縮部
１１１ 画像記録部
１１２ モニターＬＣＤ
１１３ 動作部
ＤＣ デジタルカメラ
Ｌ１〜Ｌ５  レンズ
Ｓ  開口絞り
Ｉ  撮像面
Ｆ  光学的ローパスフィルタ又はＩＲカットフィルタ
【図１】
2010078801.tif 000009
【図２】
2010078801.tif 000010
【図３】
2010078801.tif 000011
【図４】
2010078801.tif 000012
【図５】
2010078801.tif 000013
【図６】
2010078801.tif 000014
【図７】
2010078801.tif 000015
【図８】
2010078801.tif 000016
【図９】
2010078801.tif 000017
【図１０】
2010078801.tif 000018